(57)【要約】【課題】温度センサーを用いることなくかつ部品点数を増やすことなく画像形成装置の周辺温度を検出する。【解決手段】画像形成装置１は、タッチされる位置に応じて出力電圧が変化するタッチパネル４７３と、タッチパネル４７３に印加される基準電圧と予め決められた基準値との誤差に基づいて基準電圧を表す値を補正し、当該補正後の基準電圧の値及びタッチパネル４７３の出力電圧を表すに基づいてタッチパネル４７３におけるタッチ位置座標を算出するタッチ位置座標算出部１０１と、基準電圧の変動量と周辺温度との相関関係を表す温度相関データ１０２と、タッチ位置座標算出部１０１から基準電圧を表す値をどれだけ補正したかを表す補正情報を取得し、温度相関データ１０２に基づいて補正情報に対応する周辺温度を算出し、当該算出した周辺温度を表す温度情報を出力する周辺温度算出部１０３とを備える。【選択図】図３
2019028685.tif 000002
【特許請求の範囲】
【請求項１】
タッチされる位置に応じて出力電圧が変化するタッチパネルと、
前記タッチパネルに印加される基準電圧と、予め決められた基準値との誤差に基づいて前記基準電圧を表す値を補正し、当該の基準電圧の値及び前記タッチパネルの出力電圧に基づいて、前記タッチパネルにおけるタッチ位置座標を算出するタッチ位置座標算出部と、
前記基準電圧の変動量と周辺温度との相関関係を表す温度相関データを記憶する記憶部と、
前記タッチ位置座標算出部から前記基準電圧を表す値をどれだけ補正したかを表す補正情報を前記変動量として取得し、前記温度相関データに基づいて前記補正情報に対応する周辺温度を算出し、当該算出した周辺温度を表す温度情報を出力する周辺温度算出部と、を備えた電子機器。
【請求項２】
前記周辺温度算出部は、前記電子機器の電源投入直後のタイミングで、前記タッチ位置座標算出部から前記補正情報を取得して周辺温度を算出する請求項１に記載の電子機器。
【請求項３】
前記周辺温度算出部は、本電子機器がスリープ状態から復帰した直後のタイミングで、前記タッチ位置座標算出部から前記補正情報を取得して周辺温度を算出する請求項１に記載の電子機器。
【請求項４】
請求項１乃至請求項３のいずれかに記載の電子機器と、
記録媒体上に画像形成を行う画像形成部とを備える画像形成装置。
【発明の詳細な説明】
【技術分野】
【０００１】
本発明は、電子機器及び画像形成装置に関し、特に、画像形成装置におけるタッチパネルの内部信号から周辺温度を算出する技術に関する。
【背景技術】
【０００２】
プリンターや複合機等の画像形成装置では定着部の適切な温度制御を行うために装置の周辺温度を参照することがある。そのため周辺温度を測定する温度センサーが必要になるが、当該温度センサーを備えると、部品点数が増え、コスト増を招く。従って、画像形成装置に元々備わっている、温度センサー以外の手段で周辺温度を検出することが求められる。
【０００３】
温度センサー以外の手段で温度を検出する技術として、例えば、下記特許文献１には、液晶パネルの液晶層に流れた電流に抵抗値を乗じた値から、予め求めた特性を用いて、液晶パネル内部の温度を算出する技術が開示されている。
【先行技術文献】
【特許文献】
【０００４】
【特許文献１】特開２０１０−１９７６５９号公報
【発明の概要】
【発明が解決しようとする課題】
【０００５】
上記特許文献１によれば、温度センサーを用いることなくかつ部品点数を増やすことなく温度を検出することができる。しかしながら、当該検出される温度は液晶パネル内部の温度であって周辺温度ではない。特に液晶パネルは電流が多く流れることにより発熱するため、その内部温度は装置の周辺温度よりも高くなる。すなわち、上記特許文献１の技術では周辺温度を検出することが困難である。
【０００６】
本発明は、上記の事情に鑑みなされたものであり、温度センサーを用いることなくかつ部品点数を増やすことなく電子機器の周辺温度を検出可能にすることを目的とする。
【課題を解決するための手段】
【０００７】
本発明の一局面に係る電子機器は、タッチされる位置に応じて出力電圧が変化するタッチパネルと、前記タッチパネルに印加される基準電圧と、予め決められた基準値との誤差に基づいて前記基準電圧を表す値を補正し、当該補正後の基準電圧の値及び前記タッチパネルの出力電圧に基づいて、前記タッチパネルにおけるタッチ位置座標を算出するタッチ位置座標算出部と、前記基準電圧の変動量と周辺温度との相関関係を表す温度相関データを記憶する記憶部と、前記タッチ位置座標算出部から前記基準電圧を表す値をどれだけ補正したかを表す補正情報を前記変動量として取得し、前記温度相関データに基づいて前記補正情報に対応する周辺温度を算出し、当該算出した周辺温度を表す温度情報を出力する周辺温度算出部と、を備えたものである。
【０００８】
本発明の一局面に係る画像形成装置は、上記電子機器と、記録媒体上に画像形成を行う画像形成部とを備えるものである。
【発明の効果】
【０００９】
本発明によれば、温度センサーを用いることなくかつ部品点数を増やすことなく電子機器の周辺温度を検出することができる。
【図面の簡単な説明】
【００１０】
【図１】本発明に係る電子機器一実施形態に係る画像形成装置の外観を示す斜視図である。
【図２】画像形成装置の主要内部構成の一例を示すブロック図である。
【図３】周辺温度算出に係る構成部分の機能ブロック図である。
【発明を実施するための形態】
【００１１】
以下、本発明の一実施形態に係る電子機器及び画像形成装置について、図面を参照して説明する。図１は、本発明に係る電子機器の一実施形態に係る画像形成装置の外観を示す斜視図である。
【００１２】
本発明の一実施形態に係る画像形成装置１は、ファクシミリ機能、コピー機能、プリンター機能、及びスキャン機能等の複数の機能を兼ね備えた複合機である。図１に示すように、画像形成装置１は、装置本体２と、装置本体２の上方に配置された画像読取部５と、画像読取部５と装置本体２との間に設けられた連結部３とから構成される。
【００１３】
画像形成装置１の外郭を構成する筐体７には、画像形成装置１の様々な機能を実現するための複数の構成機器が収容されている。例えば、筐体７には、画像読取部５、画像形成部１２（図２）、定着部１３（図２）、給紙部３０等が収容されている。
【００１４】
操作部４７は、ユーザーが画像形成装置１を操作したり、文字や数字等の情報を入力したりするためのユーザーインターフェイス装置である。操作部４７は、ユーザーへの操作案内画面や各機能の設定画面等を表示するタッチパネル４７３を備えている。各機能とは、コピー機能、スキャン機能、ファクシミリ機能等の画像形成装置１により実行可能な機能である。操作部４７は、タッチパネル４７３に表示されたアイコンやボタンに対するユーザーによるタッチ操作を検知して、タッチ操作の内容に従って、画像形成装置１が有する各機能の詳細項目の設定や、各機能の実行指示を受け付ける。
【００１５】
次に、画像形成装置１の構成を説明する。図２は画像形成装置１の主要内部構成例を示す機能ブロック図である。図３は、周辺温度算出に係る構成部分の機能ブロック図である。
【００１６】
画像形成装置１は、制御ユニット１０を備える。制御ユニット１０は、プロセッサー、ＲＡＭ、ＲＯＭ及び専用のハードウェア回路等から構成される。プロセッサーは、例えば、ＣＰＵ(Central Processing Unit)、ＭＰＵ、又はＡＳＩＣ等である。
【００１７】
画像読取部５は、制御ユニット１０による制御の下、光照射部及びＣＣＤセンサー等を有する読取機構を備える。画像読取部５は、光照射部により原稿を照射し、その反射光をＣＣＤセンサーで受光することにより、原稿から画像を読み取る。画像読取部５は、原稿搬送部６により搬送される原稿の画像を、設定された読取サイズで読み取る。
【００１８】
画像処理部３１は、画像読取部５で読み取られた原稿画像を、必要に応じて画像処理する。
【００１９】
画像メモリー３２は、画像読取部５による読取で得られた原稿画像や、画像形成部１２による画像形成の対象となる画像を一時的に記憶する領域である。
【００２０】
画像形成部１２は、一例として、帯電、露光、現像、転写等を行う各装置を含む画像形成プロセス方式や、インクジェットヘッドを含むインクジェット方式等により画像形成を行う。画像形成部１２は、記録媒体上に、画像メモリー３２に一時的に記憶された画像に基づき画像形成を行う。
【００２１】
定着部１３は、画像形成部１２の画像形成処理により表面に画像（トナー像）が形成された記録紙を加熱し、熱圧着により当該画像を記録紙に定着させる定着処理を行う。
【００２２】
操作部４７は、上述したように、画像形成装置１が実行可能な各種動作及び処理についてユーザーからの指示を受け付ける。操作部４７は、ユーザーへの操作案内等を表示するタッチパネル４７３を備えている。タッチパネル４７３は、例えば、抵抗膜式、静電容量式のタッチパネルである。
【００２３】
ＨＤＤ９２は、画像読取部５によって読み取られた原稿画像等を記憶する大容量の記憶装置である。
【００２４】
制御ユニット１０は、制御部１００、タッチ位置座標算出部１０１、温度相関データ１０２、及び周辺温度算出部１０３を備えている。例えば、制御ユニット１０は、ＨＤＤ９２に記憶されているコンピュータープログラムに従って動作することにより、制御部１００、タッチ位置座標算出部１０１、及び周辺温度算出部１０３として機能する。また、温度相関データ１０２は、制御ユニット１０における図略の不揮発性メモリー（特許請求の範囲における記憶の一例）に保存されている。
【００２５】
制御部１００は、画像読取部５、原稿搬送部６、画像処理部３１、画像メモリー３２、画像形成部１２、定着部１３、操作部４７、タッチパネル４７３、ＨＤＤ９２等と接続され、これら各部の駆動制御を行う。
【００２６】
タッチ位置座標算出部１０１は、タッチパネル４７３においてタッチされた位置の座標（タッチ位置座標）を算出する。タッチパネル４７３には入力電圧として基準電圧が印可されており、タッチ位置に応じて電気的特性、例えば、電気抵抗や静電容量などが変化することにより出力電圧が略線形に変化する。タッチ位置座標算出部１０１は、タッチパネル４７３に印加される基準電圧及びタッチパネル４７３の出力電圧に基づいてタッチパネル４７３におけるタッチ位置座標を計算する。
【００２７】
しかしながら、タッチパネル４７３に印可される基準電圧には温度依存性があり、周辺温度に応じて基準電圧が変動しやすい。基準電圧がずれるとタッチパネル４７３の出力電圧もずれてしまい、結果として算出されるタッチ位置座標に誤差が生じる。このため、タッチ位置座標算出部１０１はそのような誤差を補正する機能を有している。
【００２８】
具体的には、タッチ位置座標算出部１０１は、タッチパネル４７３に印加される基準電圧を監視しており、当該基準電圧をＡＤ変換して得た値、すなわち、基準電圧を表す値と予め決められた基準値とを比較してその誤差（変動量）を算出する。この基準値は、例えば、タッチパネル４７３の初期調整時にタッチパネル４７３に実際に印加された基準電圧の大きさを表す値である。すなわち、タッチパネル４７３の初期調整時に基準電圧を測定してその測定値を制御ユニット１０における図略の不揮発性メモリーに基準値として記憶しておく。
【００２９】
タッチ位置座標算出部１０１は、タッチパネル４７３に印加される基準電圧を表す値を上記誤差（変動量）の分だけ補正し、その補正後の値を基準電圧とする。タッチ位置座標算出部１０１は、当該補正後の基準電圧の値、及びタッチパネル４７３の出力電圧をＡＤ変換した値、すなわち、タッチパネル４７３の出力電圧を表す値に基づいてタッチパネル４７３におけるタッチ位置座標を算出する。これにより、基準電圧の温度補償を行った正確なタッチ位置座標の算出が可能とする。
【００３０】
温度相関データ１０２は、タッチパネル４７３に印加される基準電圧の変動量（すなわち、上記誤差）と、周辺温度との相関関係を表すデータである。温度相関データ１０２は、様々に変化させた周辺温度の値と、当該各周辺温度下でのそれぞれの基準電圧に基づいて上記予め決められた基準値から算出された変動量とをプロットし、そのプロットデータの線形回帰により求める。
【００３１】
周辺温度算出部１０３は、タッチ位置座標算出部１０１における基準電圧を表す値を補正した量（すなわち、上記誤差及び変動量。以下、補正情報という）及び温度相関データ１０２に基づいて周辺温度を算出する。より詳細には、周辺温度算出部１０３は、タッチ位置座標算出部１０１から基準電圧をどれだけ補正したかを表す補正情報を取得し、温度相関データ１０２に基づいて当該補正情報に対応する周辺温度を算出する。例えば、周辺温度算出部１０３により、補正量がゼロの場合、温度相関データ１０２からは、周辺温度として、上述したタッチパネル４７３の初期調整時における温度（例えば２５℃）が算出される。例えば、周辺温度算出部１０３は、補正量が補正量αの場合、温度相関データ１０２からは、温度相関データ１０２が示す、当該補正量αに対応する周辺温度を、周辺温度として算出する。そして、周辺温度算出部１０３は、算出した周辺温度を表す温度情報を他のデバイスやシステムに出力する。
【００３２】
例えば、周辺温度算出部１０３は、上記温度情報を制御部１００などに出力する。制御部１００は、周辺温度算出部１０３により算出された周辺温度に基づいて定着部１３の温度制御などを行うことができる。
【００３３】
上述した手順で画像形成装置１の周辺温度を算出するが、画像形成装置１は動作中に発熱するため自身の熱により周辺温度が高めに算出されるおそれがある。そこで、画像形成装置１が周辺温度に十分に馴染んだタイミングで周辺温度を算出することが望ましい。これを実現するために、周辺温度算出部１０３は、画像形成装置１の電源投入直後のタイミングでタッチ位置座標算出部１０１から補正情報を取得して周辺温度を算出する。あるいは、周辺温度算出部１０３は、画像形成装置１がスリープ状態から復帰した直後のタイミングで、タッチ位置座標算出部１０１から前記補正情報を取得して周辺温度を算出する。
【００３４】
以上、説明したように、本実施形態によると、温度センサーを用いることなくかつ部品点数を増やすことなく画像形成装置１の周辺温度を検出することができる。これにより画像形成装置１のコストを低減することができる。
【００３５】
なお、本発明は上記実施の形態の構成に限られず種々の変形が可能である。例えば、上記実施形態では、本発明の一実施形態に係る画像形成装置１が複合機であるとしたが、これは一例に過ぎず、本発明に係る電子機器は、スマートフォンや医療機器等でもよい。
【００３６】
また、タッチ位置座標算出部１０１及び周辺温度算出部１０３は制御ユニット１０で実行されるコンピュータープログラムとして実現される以外にハード回路で構成することも可能である。
【００３７】
また、図１乃至図３を用いて上記実施形態により示した構成は、本発明の一実施形態に過ぎず、本発明を当該構成に限定する趣旨ではない。
【符号の説明】
【００３８】
１        画像形成装置
４７３    タッチパネル
１０１    タッチ位置座標算出部
１０２    温度相関データ
１０３    周辺温度算出部
【図１】
2019028685.tif 000003
【図２】
2019028685.tif 000004
【図３】
2019028685.tif 000005